【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
情報処理装置から通信回線を介して送信される画像データを表示する表示装置であって、
前記通信回線を介して情報処理装置と通信する通信手段と、
前記通信手段により受信した複数の画像データが、同一の情報処理装置から送信された画像データであるのか、複数の異なる情報処理装置から送信された画像データであるのかを判定する判定手段と、
前記判定手段による判定の結果、前記複数の画像データが同一の情報処理装置から受信したデータである場合には、当該複数の画像データを第１のレイアウトとし、前記複数の画像データが複数の異なる情報処理装置から受信したデータである場合には、当該複数の画像データを前記第１のレイアウトとは異なる第２のレイアウトとして、前記複数の画像データを表示面に表示する表示制御手段と、を有することを特徴とする表示装置。
【請求項２】
前記第１のレイアウトは、前記複数の画像データを結合したレイアウトであり、
前記第２のレイアウトとは、前記複数の画像データを分離したレイアウトであることを特徴とする請求項１に記載の表示装置。
【請求項３】
前記第１のレイアウトは、前記第２のレイアウトよりも、前記複数の画像データ同士の配置位置を近づけたレイアウトであることを特徴とする請求項１または２に記載の表示装置。
【請求項４】
前記表示制御手段は、前記情報処理装置から取得した複数の画像データのレイアウト設定情報に応じて、前記複数の画像データを画面に表示するが、前記複数の画像データが同一の情報処理装置から受信したデータである場合には、前記レイアウト設定情報に関わらず、当該複数の画像データを結合したレイアウトとすることを特徴とする請求項２または３に記載の表示装置。
【請求項５】
前記レイアウト設定情報から、前記複数の画像データが所定の間隔をもって配置されるレイアウトか否かを判定するレイアウト判定手段と、
前記複数の画像データのサイズを判定するサイズ判定手段と、を更に有し、
前記表示制御手段は、前記複数の画像データが同一の情報処理装置から受信したデータであって、前記レイアウト判定手段により前記複数の画像データが所定の間隔をもって配置されるレイアウトであり、かつ前記複数の画像データが異なっている場合であっても、前記サイズ判定手段により前記複数の画像データのサイズが同一ならば、前記レイアウト設定情報に関わらず、各画像データを結合したレイアウトで表示することを特徴とする請求項４に記載の表示装置。
【請求項６】
前記サイズ判定手段は、前記複数の画像データの解像度を判定する解像度判定手段と、前記複数の画像データの画面アスペクト比を判定するアスペクト比判定手段と、を有し、  前記表示制御手段は、前記複数の画像データが同一の情報処理装置から受信したデータであって、前記レイアウト判定手段により前記複数の画像データが所定の間隔をもって配置されるレイアウトであり、かつ前記複数の画像データが異なっている場合であっても、前記解像度判定手段により前記複数の画像データの解像度が同一かつ前記アスペクト比判定手段により前記複数の画像データの画面アスペクト比が同一ならば、前記レイアウト設定情報に関わらず、各画像データを結合したレイアウトで表示することを特徴とする請求項５に記載の表示装置。
【請求項７】
前記サイズ判定手段による判定の結果、前記複数の画像データのサイズが異なる場合、当該複数の画像データを同じサイズにリサイズするリサイズ手段を更に有することを特徴とする請求項５又は６に記載の表示装置。
【請求項８】
前記表示制御手段は、前記複数の画像データが複数の異なる情報処理装置から受信したデータである場合であって、前記サイズ判定手段により前記複数の画像データのサイズが同一ならば、前記レイアウト設定情報に関わらず、各画像データを結合したレイアウトで表示することを特徴とする請求項５又は６に記載の表示装置。
【請求項９】
前記表示制御手段は、前記各画像データを結合したレイアウトとする場合には、結合する複数の画像全体の外縁に枠を表示し、前記各画像データを分離したレイアウトとする場合には、個々の画像の外縁に枠を表示することを特徴とする請求項１から８のいずれか１項に記載の表示装置。
【請求項１０】
前記表示制御手段は、前記各画像データを分離したレイアウトとする場合には、複数の画像の間に区切り線を表示することを特徴とする請求項１から８のいずれか１項に記載の表示装置。
【請求項１１】
前記表示制御手段は、前記複数の画像データが同一の情報処理装置から受信したデータである場合には、各画像データの近傍に、送信元の情報処理装置のモニタの識別情報を表示し、
前記複数の画像データが複数の異なる情報処理装置から受信したデータである場合には、各画像データの近傍に、各画像データの送信元の情報処理装置の識別情報を表示することを特徴とする請求項１から８のいずれか１項に記載の表示装置。
【請求項１２】
前記表示制御手段は、前記複数の画像データのレイアウトを変更するか否かをユーザに問い合わせる画面を表示することを特徴とする請求項１から１１のいずれか１項に記載の表示装置。
【請求項１３】
画像を表示するモニタを有する情報処理装置であって、
通信回線を介して接続された表示装置と通信する通信手段と、
複数のモニタに表示されている各画像データをキャプチャする画像取得手段と、
前記画像取得手段によりキャプチャされた各画像データの送信先の表示装置を決定する決定手段と、
前記送信先が同一である複数の画像データを結合する画像処理手段と、を有し、
前記通信手段は、前記決定手段により決定された送信先の表示装置に、前記画像取得手段によりキャプチャされた各画像データ又は前記画像処理手段により結合された画像データを送信することを特徴とする情報処理装置。
【請求項１４】
前記画像取得手段によりキャプチャされた各画像データの前記表示装置におけるレイアウトを設定するレイアウト設定手段と、
前記レイアウト設定手段により設定されたレイアウトから、前記送信先が同一である複数の画像データが所定の間隔をもって配置されるレイアウトか否かを判定するレイアウト判定手段と、
前記送信先が同一である複数の画像データのサイズを判定するサイズ判定手段と、を更に有し、
前記画像処理手段は、前記レイアウト判定手段による判定の結果、前記送信先が同一である複数の画像データが所定の間隔をもって配置されるレイアウトであり、前記サイズ判定手段により前記複数の画像データのサイズが同一の場合で、かつ前記送信先が同一である複数の画像データが異なっている場合、当該送信先が同一である複数の画像データを結合することを特徴とする請求項１３に記載の情報処理装置。
【請求項１５】
前記サイズ判定手段は、前記送信先が同一である複数の画像データの解像度を判定する解像度判定手段と、
前記送信先が同一である複数の画像データの画面アスペクト比を判定するアスペクト比判定手段と、を有し、
前記画像処理手段は、前記レイアウト判定手段による判定の結果、前記送信先が同一である複数の画像データが所定の間隔をもって配置されるレイアウトであり、前記解像度判定手段により前記複数の画像データの解像度が同一かつ前記アスペクト比判定手段により前記複数の画像データの画面アスペクト比が同一の場合で、かつ前記送信先が同一である複数の画像データが異なっている場合、当該送信先が同一である複数の画像データを結合することを特徴とする請求項１４に記載の情報処理装置。
【請求項１６】
前記画像処理手段は、前記送信先が同一である複数の画像データについては、送信先ごとに画像データを結合し、前記送信先が異なっている複数の画像データについては、当該画像データが表示されているモニタごとに画像データを分離し、
前記通信手段は、前記決定手段により決定された送信先の表示装置に、前記画像処理手段によりモニタごとに分離された画像データ又は前記画像処理手段により結合された画像データを送信することを特徴とする請求項１３から１５のいずれか１項に記載の情報処理装置。
【請求項１７】
前記画像取得手段によりキャプチャされた各画像データの前記表示装置におけるレイアウトを設定するレイアウト設定手段と、
前記レイアウト設定手段により設定されたレイアウトから、前記送信先が同一である複数の画像データが所定の間隔をもって配置されるレイアウトか否かを判定するレイアウト判定手段と、を更に有し、
前記画像処理手段は、前記レイアウト判定手段による判定の結果、前記送信先が同一である複数の画像データが所定の間隔をもって配置されるレイアウトであり、前記解像度判定手段により前記複数の画像データの解像度が同一かつ前記アスペクト比判定手段により前記複数の画像データの画面アスペクト比が同一の場合で、前記送信先が同一である複数の画像データが異なっていると判定された場合、当該送信先が同一である複数の画像データを結合することを特徴とする請求項１５に記載の情報処理装置。
【請求項１８】
通信回線を介して接続された情報処理装置と表示装置とを備える画像表示システムであって、
前記情報処理装置は、
通信回線を介して接続された表示装置と通信する通信手段と、
複数のモニタに表示されている各画像データをキャプチャする画像取得手段と、
前記画像取得手段によりキャプチャされた各画像データの送信先の表示装置を決定する決定手段と、
前記送信先の各表示装置での各画像データのレイアウトを決定するレイアウト設定手段と、を有し、
前記通信手段は、前記決定手段により決定された送信先の表示装置に、前記画像取得手段によりキャプチャされた各画像データを前記レイアウト設定手段により設定されたレイアウト設定情報と共に送信し、
前記表示装置は、
前記通信回線を介して情報処理装置と通信する通信手段と、
前記通信手段により受信した複数の画像データが、同一の情報処理装置から送信された画像データであるのか、複数の異なる情報処理装置から送信された画像データであるのかを判定する判定手段と、
前記判定手段による判定の結果、前記複数の画像データが同一の情報処理装置から受信したデータである場合には、前記レイアウト設定情報に関わらず、当該複数の画像データを第１のレイアウトとし、前記複数の画像データが複数の異なる情報処理装置から受信したデータである場合には、当該複数の画像データを前記第１のレイアウトとは異なる第２のレイアウトとして、前記複数の画像データを表示面に表示する表示制御手段と、を有することを特徴とする画像表示システム。
【請求項１９】
通信回線を介して情報処理装置と通信する通信手段を有し、前記情報処理装置から通信回線を介して送信される画像データを表示する表示装置の制御方法であって、
前記通信手段により受信した複数の画像データが、同一の情報処理装置から送信された画像データであるのか、複数の異なる情報処理装置から送信された画像データであるのかを判定する判定工程と、
前記判定工程での判定の結果、前記複数の画像データが同一の情報処理装置から受信したデータである場合には、当該複数の画像データを第１のレイアウトとし、前記複数の画像データが複数の異なる情報処理装置から受信したデータである場合には、当該複数の画像データを前記第１のレイアウトと異なる第２のレイアウトとして、前記複数の画像データを表示面に表示する表示制御工程と、を有することを特徴とする制御方法。
【請求項２０】
通信回線を介して接続された表示装置と通信する通信手段と、画像を表示するモニタとを有する情報処理装置の制御方法であって、
複数のモニタに表示されている各画像データをキャプチャする画像取得工程と、
前記画像取得工程にてキャプチャされた各画像データの送信先の表示装置を決定する決定工程と、
前記送信先が同一である複数の画像データを結合する画像処理工程と、を有し、
前記通信手段は、前記決定工程により決定された送信先の表示装置に、前記画像取得工程にてキャプチャされた各画像データ又は前記画像処理工程により結合された画像データを送信することを特徴とする制御方法。
【請求項２１】
コンピュータを、請求項１から１２のいずれか１項に記載の表示装置の各手段として機能させるためのプログラム。
【請求項２２】
コンピュータを、請求項１３から１７のいずれか１項に記載の情報処理装置の各手段として機能させるためのプログラム。
【手続補正２】
【補正対象書類名】明細書
【補正対象項目名】００１１
【補正方法】変更
【補正の内容】
【００１１】
上記課題を解決し、目的を達成するために、本発明の表示装置は、情報処理装置から通信回線を介して送信される画像データを表示する表示装置であって、前記通信回線を介して情報処理装置と通信する通信手段と、前記通信手段により受信した複数の画像データが、同一の情報処理装置から送信された画像データであるのか、複数の異なる情報処理装置から送信された画像データであるのかを判定する判定手段と、前記判定手段による判定の結果、前記複数の画像データが同一の情報処理装置から受信したデータである場合には、当該複数の画像データを第１のレイアウトとし、前記複数の画像データが複数の異なる情報処理装置から受信したデータである場合には、当該複数の画像データを前記第１のレイアウトとは異なる第２のレイアウトとして、前記複数の画像データを表示面に表示する表示制御手段と、を有する。